(57)【特許請求の範囲】
【請求項１】
前枠と，該前枠に対して開閉可能に配設された第１の開閉部及び第２の開閉部を有するパチンコ遊技機において，上記第１の開閉部を上記前枠に固定するための施錠構造であって，
上記前枠と上記第１の開閉部の一方には上下方向にスライド可能なフック部を，他方には該フック部と係合可能な係合板を設け，
上記フック部には該フック部と一体的に連動する連動片を設け，一方，上記第２の開閉部には，上記フック部が上記係合板との係合状態にあると共に上記第２の開閉部が閉じられている場合に上記連動片と係合して上記フック部の移動を規制する規制部を設けてなり，
上記フック部は，上記係合板を収納係合するための切欠き部を有し，該切欠き部は，上記係合板との係合状態においてその表側面に対面する第１辺部と，その裏側面に対面する第２辺部と，上記第１辺部と上記第２辺部とを結ぶ底辺部とを有すると共に該底辺部と反対側に開口部を有する形状を呈してなり，
上記第２辺部は，上記開口部近傍に上記係合板の裏側面から離れる方向に傾斜した傾斜部を有すると共に，該傾斜部と上記底辺部との間に上記スライド方向と平行な上記平行部を有することを特徴とするパチンコ遊技機の施錠構造。
【請求項２】
請求項１において，上記連動片と上記規制部とは，いずれか一方に設けたピンと他方に設けたピン穴とにより係合可能に構成されていることを特徴とするパチンコ遊技機の施錠構造。
【請求項３】
請求項１又は２において，上記第１の開閉部は打球を備蓄する打球供給皿であり，一方，上記第２の開閉部は，遊技盤に対面するガラスを配したガラス扉枠であることを特徴とするパチンコ遊技機の施錠構造。
【発明の詳細な説明】
【０００１】
【技術分野】
本発明は，パチンコ遊技機における，開閉可能な開閉部を前枠に固定するための施錠構造に関する。
【０００２】
【従来技術】
パチンコ遊技機１は，図８に示すごとく，遊技盤３１を支持する前枠３を外枠３２に配設し，さらに前枠３の前面に開閉可能な開閉部４，５を有してなる。開閉部としては，１枚あるいは複数枚設ける。多くの場合には，図８に示すごとく，第１の開閉部としての打球供給皿４と，第２の開閉部としてのガラス扉枠５の２つをそれぞれ単独で開閉するように設ける。
【０００３】
これらの開閉部４，５は，同図に示すごとく，一方の側端部に図示しないヒンジを設け，これにより前枠３に対して回動開閉可能に配設してある。そして，パチンコ遊技機１には，上記開閉部におけるヒンジを設けた側と反対側の側端部を上記前枠３に固定するための施錠構造が備えられている。
【０００４】
図９に示すごとく，例えば開閉部４を固定するための従来の施錠構造９は，前枠３に上下方向にスライド可能にフック部９２を設け，これを開閉部４に設けた係合板４５に係合させるようになっている。
フック部９２は，スプリング２７によって係合方向，つまり上方に付勢されており，切欠き部９２５に係合板４５を収納係合させて開閉部４の開閉回動を規制する。切欠き部９２５は，係合板４５の挿入が容易で，かつ係合板との係合状態を安定化するために，開口部側（上側）が広く，奥側（下側）が狭い形状に設けてある。具体的には，図１０に示すごとく，切欠き部９２５を，第１辺部９２６，底辺部９２７，第２辺部９２８により構成し，かつ，第２辺部９２８を開口側が広がるように傾斜させてある。
【０００５】
【解決しようとする課題】
ところで，従来の施錠構造９においては，開閉部４に対して，水平方向の力Ｆ１又は上下方向の力Ｆ２あるいはこれらを組み合わせた力が作用した場合に，フック部９２と係合板４５との係合状態が解除されて開閉部４が開放されてしまうというトラブルが時々生じる場合があった。即ち，図１０に示すごとく，開閉部４に何らかの力が作用した際に，上記フック部９２がスプリング２７の付勢力に抗して徐々に解除方向（下方）にスライドし，最後には両者の係合状態が解除されるという事態が発生する場合があった。
【０００６】
本発明は，かかる従来の問題点に鑑みてなされたもので，開閉部の施錠状態を確実に維持することができ，開閉部の不意な開放を防止することができるパチンコ遊技機の施錠構造を提供しようとするものである。
【０００７】
【課題の解決手段】
前枠と，該前枠に対して開閉可能に配設された開閉部とを有するパチンコ遊技機において，上記開閉部を上記前枠に固定するための施錠構造であって，
上記前枠又は上記開閉部の一方には上下方向にスライド可能なフック部を，他方には該フック部と係合可能な係合板を設け，
上記フック部は，上記係合板を収納係合するための切欠き部を有し，該切欠き部は，上記係合板との係合状態においてその表側面に対面する第１辺部と，その裏側面に対面する第２辺部と，上記第１辺部と上記第２辺部とを結ぶ底辺部とを有すると共に該底辺部と反対側に開口部を有する形状を呈してなり，
かつ，上記第２辺部の少なくとも一部には，上記スライド方向と平行な平行部を有することを特徴とするパチンコ遊技機の施錠構造がある。
【０００８】
上記施錠構造において最も注目すべき点は，上記フック部の切欠き部において，上記第２辺部の少なくとも一部に上記平行部を設けたことである。
上記平行部は，後述する実施形態例にも示すように，上記第２辺部の任意の部分に設けることができる。また，複数箇所に設けることもできる。もちろん，上記第２辺部全体を平行部とすることもできる。
また，上記フック部と上記係合板とは，前枠と開閉部のいずれに設けてもよい。ただし，開閉部の軽量化，薄肉化等を考慮すれば，上記フック部を上記前枠に設け，上記係合板を開閉部に設けることが好ましい。
【０００９】
上記パチンコ遊技機の施錠構造においては，上記フック部の上記切欠き部の第２辺部の少なくとも一部に上記平行部を設けてある。そのため，フック部と係合板との係合状態が不意に解除されることを防止することができる。
【００１０】
即ち，上記第２辺部の上記平行部は，フック部のスライド方向と平行である。そのため，フック部の上記平行部に上記係合板が当接して該係合板から力を受けても，フック部をスプリングに抗して後退させるような分力が発生しにくい。そのため，上記フック部が後退しようとしたとしても，上記平行部と上記係合板とが当接した時点でそのフック部の後退動作を食止めることができる。それ故，開閉部に対してこれを開く方向に強い力が作用したとしても，上記平行部の存在によってフック部と係合板との係合状態が外れることを防止することができる。
【００１２】
次に，上記第２辺部は，上記底辺部近傍に上記係合板の裏側面から離れる方向に傾斜した傾斜部を有すると共に，上記開口部近傍に上記スライド方向と平行な上記平行部を有することが好ましい。
【００１３】
この場合に最も注目すべき点は，上記フック部の切欠き部において，上記傾斜部と上記平行部とを組み合わせてなる上記第２辺部を設けることである。
そして，この場合には，切欠き部への係合板のスムーズな挿入性を確保しつつ，係合状態が不意に解除されることを確実に防止することができる。
【００１４】
即ち，上記第２辺部における傾斜部の存在は，切欠き部の形状を開口部側が広く奥側が狭い形状を容易に形成することができる。そのため，切欠き部への上記係合板の挿入は，比較的広い開口部からスムーズに挿入され，かつ，挿入完了状態では比較的狭い奥側で安定した係合状態を得ることができる。
【００１５】
一方，上記傾斜部の存在は，これに対して係合板から力が作用した際に上記フック部をスプリングに抗して後退させる分力を生じさせる。そして，従来ならば，この分力の作用によってフック部と係合板とが完全に外れてしまう場合があった。
【００１６】
しかしながら，上記のごとく，傾斜部よりも開口部側に平行部が存在する。そのため，上記傾斜部に沿って上記フック部が後退した場合においても，最終的に上記平行部が上記係合板に当接する。そして，この当接状態においては，平行部に作用する力からフック部を後退させるような分力はほとんど発生しない。それ故，開閉部に対してこれを開く方向に強い力が作用したとしても，上記平行部の存在によってフック部と係合板との係合状態が外れることを確実に防止することができる。
【００１７】
請求項１の発明は，前枠と，該前枠に対して開閉可能に配設された第１の開閉部及び第２の開閉部を有するパチンコ遊技機において，上記第１の開閉部を上記前枠に固定するための施錠構造であって，
上記前枠と上記第１の開閉部の一方には上下方向にスライド可能なフック部を，他方には該フック部と係合可能な係合板を設け，
上記フック部には該フック部と一体的に連動する連動片を設け，一方，上記第２の開閉部には，上記フック部が上記係合板との係合状態にあると共に上記第２の開閉部が閉じられている場合に上記連動片と係合して上記フック部の移動を規制する規制部を設けてなり，
上記フック部は，上記係合板を収納係合するための切欠き部を有し，該切欠き部は，上記係合板との係合状態においてその表側面に対面する第１辺部と，その裏側面に対面する第２辺部と，上記第１辺部と上記第２辺部とを結ぶ底辺部とを有すると共に該底辺部と反対側に開口部を有する形状を呈してなり，
上記第２辺部は，上記開口部近傍に上記係合板の裏側面から離れる方向に傾斜した傾斜部を有すると共に，該傾斜部と上記底辺部との間に上記スライド方向と平行な上記平行部を有することを特徴とするパチンコ遊技機の施錠構造にある。
【００１８】
本発明において最も注目すべき点は，上記フック部の上記連動片と，上記第２の開閉部に設けた上記規制部とを係合させて上記フック部の移動を規制するよう構成したことである。
上記連動片と上記規制部との係合は，例えば後述するピンとピン穴との組み合わせ，その他の種々の構造により実現することができる。
【００１９】
次に，本発明の作用効果につき説明する。
本発明では，上記第１の開閉部を前枠に対して閉じる際には，上記フック部と係合板とを係合させる。そして，その後，上記第２の開閉部を上記前枠に対して閉じる。このとき，上記フック部には上記連動片が連結されており，上記第２の開閉部には上記規制部が設けられている。そのため，第２の開閉部を閉じることによって，上記連動片に連なった上記フック部は，上記規制部によって固定されスライド動作が規制される。
【００２０】
それ故，上記第１の開閉部を施錠する上記フック部は，上記第２の開閉部を開かない限り上記係合板との係合状態が外れない。
したがって，本発明によれば，第１の開閉部の施錠状態を確実に維持することができ，第１の開閉部の不意な開放を防止することができるパチンコ遊技機の施錠構造を提供することができる。
【００２１】
次に，請求項２の発明のように，上記連動片と上記規制部とは，いずれか一方に設けたピンと他方に設けたピン穴とにより係合可能に構成されていることが好ましい。上述したように，上記連動片と規制部の構造は種々の組み合わせが考えられるが，特に上記のようにピンとピン穴とした場合には，非常に簡単な構造とすることができる。
【００２２】
また，請求項３の発明のように，上記第１の開閉部は打球を備蓄する打球供給皿であり，一方，上記第２の開閉部は，遊技盤に対面するガラスを配したガラス扉枠であることが好ましい。この場合には，上記ガラス扉枠を開かない限り上記打球供給皿の開放ができないように構成することができる。
【００２３】
【発明の実施の形態】
実施形態例１
本発明の実施形態例にかかるパチンコ遊技機の施錠構造につき，図１〜図４を用いて説明する。
本例のパチンコ遊技機１の施錠構造１０は，前述した図８に示すごとく，前枠３と，該前枠３に対して開閉可能に配設された開閉部４とを有するパチンコ遊技機１において，上記開閉部４を上記前枠３に固定するための施錠構造である。なお本例における開閉部４は打球供給皿である。
上記前枠３には，上下方向にスライド可能なフック部２を，開閉部４には，フック部２と係合可能な係合板４５を設けた。
【００２４】
フック部２は，図３に示すごとく，係合板４５（図１）を収納係合するための切欠き部２０を有し，該切欠き部２０は，係合板４５との形状状態においてその表側面に対面する第１辺部２１と，その裏側面に対面する第２辺部２２と，第１辺部２１と第２辺部２２とを結ぶ底辺部２３とを有すると共に該底辺部２３と反対側に開口部を有する形状を呈している。
第２辺部２２は，底辺部２３近傍には上記フック部２のスライド方向から上記係合板４５の裏側面から離れる方向に傾斜した傾斜部２２１を有すると共に，上記開口部近傍には上記スライド方向と平行な平行部２２２を有する。
以下，これを詳説する。
【００２５】
本例におけるフック部２は，図１に示すごとく，２つで一組となっており，それぞれスライド片２９に連結されて一体的にスライドするよう構成されている。スライド片２９は，前枠３に設けられたピン３９１，３９２に係合する長穴２９１，２９２を有し，これらの係合によってスライド状態を実現している。また，スライド片２９に設けられた係止片２８と上記前枠３のピン３９１との間にはスプリング２７が配設されている。このスプリング２７は，スライド片２９，即ちフック部２を上方へ付勢する付勢力を発揮する。
【００２６】
各フック部２は，スライド片２９から９０度折り返され，さらに逆方向に９０度折り返されてパチンコ遊技機１の正面側に突出するように設けられている。フック部２は，同図に示すごとく，正面側に向いた山形状の頭部２００を有すると共に，上方に開口した上記切欠き部２０を有する。
【００２７】
図３に示すごとく，切欠き部２０を構成する第１辺部２１は，スライド方向と平行に設けた。また，底辺部２３はスライド方向と垂直に設けた。また，第２辺部２２は，同図に示すごとく，開口部側が広くなるように傾斜させた傾斜部２２１とスライド方向と平行な平行部２２２とを組み合わせて構成した。なお，同図に示した破線９９は，従来のフック部の形状を示すものであり，従来は平行部２２２が形成されていなかったことを示している。
また，本例では，上記平行部２２２の長さを２ｍｍに設定したが，開閉部４の上下方向の許容移動量Ａ（図１参照）以上であれば適宜設計変更可能である。
【００２８】
また，図１に示すごとく，スライド片２９の上端には，施錠状態を解除する際にフック部２を下方に押し下げる操作をするための解除片２６を設けた。この解除片２６は，打球供給皿である開閉部４の上方に回動可能配設されているガラス扉枠（第２の開閉部）５を開いた際に前面に剥き出し状態となり，押し下げ操作が可能となるよう配設されている。
【００２９】
上記打球供給皿である開閉部４は，図１に示すごとく，前枠３と対面する位置に上記係合板４５を有している。係合板４５は，図２に示すごとく，２つのフック部２の頭部をそれぞれ挿入できるように２つの貫通穴４５０を有し，各貫通穴４５０の上端縁４５１が上記フック部２の切欠き部２０に挿入係合するよう設けてある。また，貫通穴４５０の下端部には，内方に折り曲げ形成した斜板４５２が設けてある。この斜板４５２は，施錠を解除する際に，フック部２の頭部２００の下側斜面２０２（図３）が当接して開閉部４を前方へ回動させる補助力を発生するように形成されたものである。
【００３０】
次に，本例の作用効果につき説明する。
本例の施錠構造１０を有するパチンコ遊技機１において，開閉部４を開放状態から閉じる際には，まず，上下スライド方向の上端に位置するフック部２の山形状の頭部２００の上側斜面２０１（図３）に開閉部４側の係合板４５における貫通穴４５０の上端縁４５１が当接する。この状態で開閉部４を閉じることにより，フック部２はスプリング２６の付勢力に抗して徐々に押し下げられると共に，上記係合板４５が前進して最終的にフック部２の切欠き部２０まで到達する。この時点でフック部２は，スプリング２６の付勢力によって上昇し係合板４５を挿入係合させて，施錠が完了する（図１の状態）。
【００３１】
ここで，フック部２の切欠き部２０は，第２辺部２２に傾斜部２２１を設けることにより，開口部側が広がった形状を有している。そのため，上記係合板４５の切欠き部２０への進入は非常にスムーズに行われる。さらに，フック部２の上昇により係合板４５の切欠き部２０への進入が進むにつれて，係合板４５は上記傾斜部２２１の作用によって前枠３側に引き寄せられ，安定した係合状態が得られる。
【００３２】
そして，この状態において，開閉部４に対してこれを開く方向に力を加えても，不意な開放が起こることを確実に防止することができる。
即ち，開閉部４を開く方向に力が作用した場合には，上記係合板４５からフック部２の傾斜部２２１に力が作用し，フック部２をスプリング２６に抗して後退させる方向に分力が発生する。例えば，図４に示すごとく，付与された力が水平方向力Ｆ１の場合には，その９０度方向の分力が，上下方向の力Ｆ２が付与された場合には０度方向の分力がそれぞれフック部２を後退させる分力となる。
そして，従来ならば，この作用によってフック部２と係合板４５とが完全に外れてしまう場合があった。
【００３３】
しかしながら，本例では，上記のごとく，傾斜部２２１よりも開口部側に平行部２２２が存在する。そのため，図４に示すごとく，傾斜部２２１の存在によって生じた分力によってフック部２が後退した場合においても，最終的に平行部２２２が係合板４５に当接する。そして，この当接状態においては，平行部２２２に作用する力からフック部２を後退させるような分力は発生しない。それ故，開閉部４に対してこれを開く方向に強い力Ｆが作用したとしても，上記平行部２２２の存在によってフック部２と係合板４５との係合状態が外れることを確実に防止することができる。
それ故，本例の施錠構造１０を有するパチンコ遊技機１においては，開閉部４の施錠状態を確実に維持することができ，開閉部４の不意な開放を確実に防止することができる。
【００３４】
実施形態例２
本例は，図５に示すごとく，実施形態例１の切欠き部２０の形状を変更した例である。即ち，同図に示すごとく，本例における切欠き部２０は，実施形態例１における開口部側の平行部２２２を取り除き，上記底辺部２３と傾斜部２２１との間に新たにスライド方向と平行な平行部２２３を設けた。
【００３５】
この場合には，フック部２の切欠き部２０に係合板４５が奥まで挿入された係合状態において，平行部２２３と係合板４５とが当接する。そのため，これらの間にフック部２をスライドさせる方向の分力が生じにくい。それ故，初期の係合状態からフック部２と係合板４５とのずれが生じること自体を最初の状態で起こりにくくすることができ，施錠状態の安定性を向上させることができる。
【００３６】
実施形態例３
本例は，図６に示すごとく，実施形態例１の切欠き部２０の形状を変更した例である。即ち，同図に示すごとく，本例における切欠き部２０は，実施形態例１と２とを合体させた形状であって，傾斜部２２１の上下に２つの平行部２２２，２２３を設けてなる。
【００３７】
この場合には，実施形態例１と２の作用効果を兼ね備えたものとなる。
即ち，まず実施形態例２と同様に，初期の係合状態からフック部２と係合板４５とのずれが生じること自体を最初の状態で起こりにくくすることができる。さらに，万一，下側の平行部２２３を係合板４５が乗り越えた場合においても，最終的に上方の平行部２２２と係合板４５との当接によって，実施形態例１と同様に両者の係合状態の解除を防止することができる。
【００３８】
実施形態例４
本例のパチンコ遊技機１の施錠構造１２も，前述した図８に示すごとく，前枠３と，該前枠３に対して開閉可能に配設された打球供給皿としての第１の開閉部４及びガラス扉枠としての第２の開閉部５とを有するパチンコ遊技機１において，上記第１の開閉部４を上記前枠３に固定するための施錠構造である。
【００３９】
前枠３には，上下方向にスライド可能なフック部６を設けた。また，第１の開閉部４には，フック部６と係合可能な係合板４５を設けた。
そして，フック部６には該フック部６と一体的に連動する連動片６６を設け，一方，上記第２の開閉部５には上記フック部６が係合板４５との係合状態にあると共に上記第２の開閉部５が閉じられている場合に連動片６６と係合してフック部６の移動を規制する規制部５６を設けてなる。
【００４０】
本例のフック部６は，図７に示すごとく，２つで一組となっており，それぞれスライド片２９に連結されて一体的にスライドするよう構成されている。このスライド片２９の構造及び前枠３への配設状態は実施形態例１のスライド片２９と同様である。
【００４１】
各フック部６の切欠き部６０の形状は，実施形態例１と異なり，従来と同様に設けた。即ち，切欠き部６０を構成する第１辺部６１は，スライド方向と平行に設け，底辺部６３はスライド方向と垂直に設けて実施形態例１と同様としたが，第２辺部６２は，同図に示すごとく，開口部側が広くなるように傾斜させた傾斜部のみによって構成した。
【００４２】
また，スライド片２９の上端には，実施形態例１と同様の解除片２６を設けた。本例では，この解除片２６を上記連動片６６として兼用させた。そして，この連動片には，ガラス扉枠（第２の開閉部）５に設けた規制部５６としてのピンを挿入可能なピン穴６６０を設けた。
【００４３】
また，本例における打球供給皿である第１の開閉部４は，図７に示すごとく，実施形態例１と同様であり，前枠３と対面する位置に上記と同様の係合板４５を有している。
その他は，実施形態例１と同様である。
【００４４】
次に，本例の作用効果につき説明する。
本例では，第１の開閉部４を前枠３に対して閉じる際には，フック部６と係合板４５とを係合させる。そして，その後，第２の開閉部５を前枠３に対して閉じる。このとき，フック部６には上記連動片６６が連結されており，上記第２の開閉部５には規制部であるピン５６が設けられている。そして，第２の開閉部５を閉じることによって，ピン５６が連動片６６のピン穴６６０内に挿入配置される。これにより，連動片６６に連なった上記フック部６は，規制部（ピン）５６によって固定されスライド動作が規制される。
【００４５】
それ故，上記第１の開閉部４を施錠するフック部６は，第２の開閉部５を開かない限り係合板４５との係合状態が外れない。
したがって，本例においても，第１の開閉部４の施錠状態を確実に維持することができ，第１の開閉部４の不意な開放を防止することができる。
【００４６】
【発明の効果】
上述のごとく，本発明によれば，開閉部の施錠状態を確実に維持することができ，開閉部の不意な開放を防止することができるパチンコ遊技機の施錠構造を提供することができる。
【図面の簡単な説明】
【図１】実施形態例１における，パチンコ遊技機の施錠構造を示す説明図。
【図２】実施形態例１における，係合板の形状を示す説明図。
【図３】実施形態例１における，フック部の形状を示す説明図。
【図４】実施形態例１における，切欠き部の平行部による作用効果を示す説明図。
【図５】実施形態例２における，フック部の形状を示す説明図。
【図６】実施形態例３における，フック部の形状を示す説明図。
【図７】実施形態例４における，パチンコ遊技機の施錠構造を示す説明図。
【図８】従来例における，パチンコ遊技機の構造を示す説明図。
【図９】従来例における，パチンコ遊技機の施錠構造を示す説明図。
【図１０】従来例における，施錠構造の不具合を示す説明図。
【符号の説明】
１．．．パチンコ遊技機
１０．．．施錠構造，
２，６．．．フック部，
２０，６０．．．切欠き部，
２１，６１．．．第１辺部，
２２，６２．．．第２辺部，
２２１．．．傾斜部，
２２２．．．平行部，
２３，６３．．．底辺部，
３．．．前枠，
４．．．開閉部（打球供給皿），
５．．．開閉部（ガラス扉枠），
【図１】
0004447135.tif 000002
【図２】
0004447135.tif 000003
【図３】
0004447135.tif 000004
【図４】
0004447135.tif 000005
【図５】
0004447135.tif 000006
【図６】
0004447135.tif 000007
【図７】
0004447135.tif 000008
【図８】
0004447135.tif 000009
【図９】
0004447135.tif 000010
【図１０】
0004447135.tif 000011